(57)【特許請求の範囲】
【請求項１】
閃光放電管の両端部が挿通される挿通孔を有する掛止部と、該掛止部同士を連結する連結部とを備え、反射傘の背面側に配置されて、前記閃光放電管を保持しつつ反射傘側に付勢する弾性変形自在な閃光放電管保持部材であって、
前記挿通孔が前記掛止部間方向に直交する方向に沿い、且つ、前記連結部が前記挿通孔の軸方向に沿う向きに突出する態様で湾曲した状態に形成されることを特徴とする閃光放電管保持部材。
【請求項２】
請求項１に記載の閃光放電管保持部材に対応したキャビティを有し、前記挿通孔の軸方向に沿う方向に分割可能な成形型を用いることを特徴とする閃光放電管保持部材の製造方法。
【請求項３】
請求項１に記載の閃光放電管保持部材を備えて構成されることを特徴とするストロボ装置。
【発明の詳細な説明】
【技術分野】
【０００１】
本発明は、閃光放電管の両端部を反射傘の裏側から保持して前記閃光放電管を反射傘側に付勢する弾性変形自在な閃光放電管保持部材、及び、その製造方法、並びに、該閃光放電管保持部材を備えるストロボ装置に関する。
【背景技術】
【０００２】
従来、ストロボ装置においては、図５に示すように、反射傘１の背面側に配置されて、閃光放電管２を保持しつつ反射傘１側に付勢する弾性変形自在な閃光放電管保持部材３が用いられる（例えば、特許文献１）。
【０００３】
かかる閃光放電管保持部材３は、図６に示すように、前記閃光放電管２の両端部が挿通される挿通孔４を有する掛止部５と、該掛止部５，５同士を連結する連結部６とを備えるものであり、具体的には、該連結部６は、前記各掛止部５，５と連結部６とが掛止部間方向に沿う一直線上の配置となるように直線状に形成され、また、掛止部５の挿通孔４は、掛止部間方向に直交する方向に沿って形成される。
【０００４】
このような閃光放電管保持部材３は、図７に示すような成形型７によって製造されるものである。該成形型７は、一対の型８，９（第一型８及び第二型９）によって構成され、前記掛止部５の挿通孔４の軸方向に沿う方向に分割可能な構造のものであり、閃光放電管保持部材３を製造するに際しては、注入口１０から成形型７のキャビティ１１内に加熱溶融されたシリコーン等の材料を注入して冷却固化させた後、前記一対の型８，９を分割して閃光放電管保持部材３を取り出す。
【０００５】
そして、ストロボ装置を組み立てる場合には、閃光放電管２の両端部を反射傘１から突出させた状態とした上で、閃光放電管保持部材３を弾性変形させつつ反射傘１の背面側から抱き込むように閃光放電管２の両端部に組み付けて、図５に示すような状態とする。このとき、前記各掛止部５，５は、掛止部間方向に直交する方向に沿っていた挿通孔４，４が掛止部間方向（即ち、閃光放電管２の長手方向）に沿う状態となるように向きを変更すべく、連結部６に対して屈曲させられる。
【０００６】
なお、上記閃光放電管保持部材３は、導電性被膜が形成された閃光放電管２にトリガー電圧を供給すべく反射傘１と閃光放電管２とを確実に接触させる機能を有するとともに、光の反射効率を高めるべく閃光放電管２を適正な位置（例えば、反射傘１の焦点位置）に配置する機能を有する。また、閃光放電管保持部材３は、反射傘１と閃光放電管２の電極１２との間でトリガー電流が短絡するいわゆる「トリガー飛び」を防止する機能を有する。
【特許文献１】特開２００２−２３２２９号公報
【発明の開示】
【発明が解決しようとする課題】
【０００７】
ところで、閃光放電管保持部材３を閃光放電管２の両端部に組み付ける場合には、閃光放電管保持部材３を引っ張って弾性変形させることとなるが、この際、閃光放電管保持部材３が反射傘１の背面両端の角部１３に押し当てられる状態となり得る。ここで、前記反射傘１は、閃光放電管保持部材３よりも硬質な素材（例えば、金属など）によって形成されるものであることから、組み付けの際に閃光放電管保持部材３が破断し易いという問題がある。
【０００８】
また、ストロボ装置として完成された後においても、閃光放電管保持部材３は、反射傘１を閃光放電管２との間にいわば挟み込んだ状態で該閃光放電管２を反射傘１側に付勢するため、本来直線状を有する閃光放電管保持部材３が前記角部１３と常時当接することで偏った応力が常時発生する状態となり、閃光放電管保持部材３の経年劣化等に伴って破断が発生しやすいという問題がある。
【０００９】
そこで、本発明は、反射傘の角部に当接することで発生する応力を低減することができ、且つ、容易に製造を行うことのできる閃光放電管保持部材及びその製造方法、並びに、該閃光放電管保持部材を備えるストロボ装置を提供することを目的とする。
【課題を解決するための手段】
【００１０】
本発明に係る閃光放電管保持部材は、閃光放電管の両端部が挿通される挿通孔を有する掛止部と、該掛止部同士を連結する連結部とを備え、反射傘の背面側に配置されて、前記閃光放電管を保持しつつ反射傘側に付勢する弾性変形自在な閃光放電管保持部材であって、前記挿通孔が前記掛止部間方向に直交する方向に沿い、且つ、前記連結部が前記挿通孔の軸方向に沿う向きに突出する態様で湾曲した状態に形成されることを特徴とする。
【００１１】
組み付けの際には、上述のように、前記挿通孔が前記掛止部間方向に直交する方向に沿う状態から前記掛止部間方向に沿う状態となるように前記掛止部の向きを変更させる必要があるが、上記構成からなる閃光放電管の保持部材によれば、湾曲して形成された連結部を閃光放電管及び反射傘に合わせて直線状に弾性変形させるのに伴って、必然的に前記掛止部の向きが変更されることとなる。また、連結部が掛止部間方向中間部において反射傘に当接することで、閃光放電管保持部材の両端部が前記反射傘の角部から離間するように復元力が発生することとなる。このため、前記角部に当接する際に該角部から受ける力が小さくなる。
【００１２】
また、上記閃光放電管保持部材の製造方法としては、該閃光放電管保持部材に対応したキャビティを有し、前記挿通孔の軸方向に沿う方向に分割可能な成形型を用いることが好ましい。
【００１３】
このようにすれば、成形型を分割する方向が挿通孔の軸方向及び連結部の突出する方向に沿うこととなるため、一度の型成形によって挿通孔を形成するとともに連結部が湾曲した状態とすることができ、上記のような閃光放電管保持部材を工程を少なく抑えつつも容易に製造することができる。
【００１４】
そして、かかる閃光放電管保持部材を備えて構成されるストロボ装置は、製造時の歩留まりがよく、且つ、閃光放電管保持部材の経年劣化等に伴う破断が発生しにくい耐久性に優れたものとなる。
【発明の効果】
【００１５】
以上のように、本発明に係る閃光放電管保持部材及びその製造方法、並びに、該閃光放電管保持部材を備えるストロボ装置によれば、閃光放電管保持部材が反射傘の角部に当接する際に該角部から受ける力が小さくなるため、前記角部に当接することで発生する応力を低減することができる。従って、組み付け時に閃光放電管保持部材が破断しにくく、組み付けられた後も耐久性の高いものとすることができる。
【発明を実施するための最良の形態】
【００１６】
以下に、本発明に係る閃光放電管保持部材及びその製造方法、並びに、該閃光放電管保持部材を備えるストロボ装置の実施形態について、図面に基づいて説明する。
【００１７】
本発明の実施形態にかかる閃光放電管保持部材３は、図１に示されるように、閃光放電管２の両端部が挿通される挿通孔４を有する掛止部５と、該掛止部５，５同士を連結する連結部６とを備え、反射傘１の背面側に配置されて、前記閃光放電管２を保持しつつ反射傘１側に付勢する弾性変形自在な閃光放電管保持部材３であって、図２に示されるように、前記挿通孔４が前記掛止部間方向に直交する方向に沿い、且つ、前記連結部６が前記挿通孔４の軸方向に沿う向きに突出する態様で湾曲した状態に形成される。前記掛止部間方向に直交する方向（即ち、前記挿通孔４の軸方向）を「高さ方向」とすれば、前記連結部６は、高さ方向上方に突出する。
【００１８】
前記反射傘１は、背面両端部に閃光放電管２を突出させる両端開口を有し、また、光の照射方向に向けて拡開する形状を成すべく傾斜する側面を有する。そして、反射傘１の背面の長さ寸法は、前記閃光放電管２よりも長尺に形成される。
【００１９】
前記掛止部５は、前記反射傘１の側部に宛がわれる部位であり、反射傘１の前記両端開口に対応する平坦面１４を有する平坦部と、前記反射傘１の側面に対応する傾斜面１５を有する傾斜部とを備える。前記挿通孔４は、前記高さ方向に沿って形成され、前記反射傘１の両端開口に臨む態様となるように前記平坦部に設けられる。具体的には、前記各挿通孔４，４は、前記高さ方向に平行に形成される。
【００２０】
前記連結部６は、前記掛止部５，５間を結ぶ線分から逸脱するように湾曲するように形成される。具体的には、前記掛止部５の前記掛止部間方向内側の部位から高さ方向に沿って立ち上がる。より具体的には、前記連結部６は、前記掛止部５から垂直に立ち上がり、前記連結部６と掛止部５の平坦面１４とによって直角な隅部１６が形成される。また、前記連結部６は、一方の掛止部５から他方の掛止部５にかけて連続した弧状に形成される。具体的には、前記連結部６は、正面視逆Ｕ字状を有する。また、該連結部６の弧は、反射傘１の背面の長さ寸法と同等の長さを有する。そして、連結部６は、弾性変形しやすいように、前記掛止部５の厚みよりも薄肉に形成される。
【００２１】
上記形状を有する閃光放電管保持部材３は、図２に示すような成形型７によって製造されるものである。該成形型７は、閃光放電管保持部材３に対応したキャビティ１１を有し、一対の型８，９（第一型８及び第二型９）によって構成され、前記掛止部５の挿通孔４の軸方向に沿う方向に分割可能な構造のものである。
【００２２】
前記第一型８は、前記掛止部５の平坦面１４及び傾斜面１５に対応する形状を有するとともに、前記連結部６の突出形状に対応して掛止部間方向中間部が高さ方向上方に窪んで形成され、該窪みにおける高さ方向の上方部位には、閃光放電管保持部材３の材料が加熱溶融された状態で注入される注入口１０が形成される。
【００２３】
一方、前記第二型９は、前記挿通孔４に対応する凸部を前記掛止部間方向両側部に有し、且つ、前記連結部６の突出形状に合わせて掛止部間方向中間部が高さ方向上方に突出して形成される。
【００２４】
上記成形型７によって閃光放電管保持部材３を製造する方法としては、注入口１０から成形型７のキャビティ１１内に加熱溶融された材料を注入して冷却固化させた後、前記一対の型８，９を挿通孔４の軸方向に沿う方向に分割して、完成された閃光放電管保持部材３を取り出す。
【００２５】
なお、閃光放電管保持部材３の材質としては、加熱されると溶融し且つ冷却されると固化しるとともに固化した状態で弾性変形可能な性質のものであればよく、例えば、シリコーン等の樹脂が用いられる。
【００２６】
前記閃光放電管保持部材３は、組み付けられると、図１及び図４に示すように、直線状に弾性変形した連結部６に対して掛止部５が屈曲した状態となる。
【００２７】
上記構成からなる閃光放電管保持部材３によれば、組み付けの際に、湾曲して形成された前記連結部６を閃光放電管２及び反射傘１に合わせて直線状に弾性変形させるのに伴って、前記掛止部５を無理に屈曲させずとも、必然的に前記掛止部５の向きが変更されることとなる。また、連結部の突出した部位が掛止部間方向中間部において反射傘に当接することで、閃光放電管保持部材の両端部が前記反射傘の角部から離間する方向に復元力が発生することとなる。しかも、上述のように、前記連結部６と掛止部５の平坦面１４とによって形成される直角な隅部１６は、前記反射傘１の角部１３と一致する。このため、前記角部１３に当接する際に該角部１３から受ける力を小さくして、発生する応力を低減することができる。
【００２８】
また、上記構成からなる閃光放電管保持部材３の製造方法によれば、成形型７を分割する方向が挿通孔４の軸方向及び連結部６の突出する方向に沿うため、一度の型成工程のみによって各挿通孔４，４を形成するとともに連結部６が湾曲した状態とすることができ、上記のような利点を有する閃光放電管保持部材３を、工程を少なく抑えつつも容易に製造することができる。
【００２９】
そして、かかる閃光放電管保持部材３が組み付けられて構成されるストロボ装置は、製造時の歩留まりがよく、且つ、閃光放電管保持部材３の経年劣化等に伴う破断が発生しにくい耐久性に優れたものとなる。
【００３０】
なお、本発明に係る閃光放電管保持部材及びその製造方法、並びに、該閃光放電管保持部材を備えるストロボ装置は、上記実施形態に限定されるものではなく、本発明の要旨を逸脱しない範囲で種々の変更が可能である。
【００３１】
例えば、上記実施形態においては、前記連結部６が前記掛止部５の前記掛止部間方向内側の部位から高さ方向に沿って立ち上がるように形成されるものとして説明したが、前記連結部６が前記挿通孔４の軸方向に沿う向きに突出する態様で湾曲した状態に形成されるものであれば、これに限定されるものではない。
【００３２】
その一例としては、前記連結部６が前記掛止部５の前記掛止部間方向内側の部位から掛止部間方向に沿って内側に延設され、掛止部間方向中間部において高さ方向に突出するものであってもよい。この場合であっても、上述のような隅部１６は形成されないものの、湾曲して形成された連結部６を反射傘１及び閃光放電管２に合わせて直線状に弾性変形させることに伴って、必然的に前記掛止部５の向きが変更されることとなる。また、連結部６の突出した部位が掛止部間方向中間部において反射傘１に当接することで、閃光放電管保持部材３の両端部が前記反射傘１の角部１３から離間する方向に復元力が発生することとなる。このため、前記角部１３に当接する際に該角部１３から受ける力を小さくして、発生する応力を低減することができる。
【００３３】
また、上記実施形態においては、前記連結部６が前記掛止部５から垂直に立ち上がり、前記連結部６と掛止部５の平坦面とによって直角な隅部１６が形成されるものとして説明したが、連結部６が前記掛止部５に形成される挿通孔４の軸方向に沿う向きに突出する態様で湾曲した状態のものであれば、隅部１６は直角なものに限定されるものではない。
【００３４】
さらに、上記実施形態においては、閃光放電管保持部材３を製造すべく、前記挿通孔４の軸方向に沿う方向に分割可能な成形型７を用いるものとして説明したが、これに限定されるものではなく、前記各掛止部５，５及び連結部６を含む平面に直交する方向に分割可能に構成される成形型を用い、得られた成形品に対して挿通孔を形成するものであってもよい。
【産業上の利用可能性】
【００３５】
本発明に係る閃光放電管保持部材及びその製造方法、並びに、該閃光放電管保持部材を備えるストロボ装置は、反射傘の角部によって発生する応力を低減することができ、従って、取付作業時に閃光放電管保持部材が破断しにくく、組み付け後も耐久性の高いものとすることができるという効果を有し、ストロボ装置を備えるカメラ等の分野において、特に有用である。
【図面の簡単な説明】
【００３６】
【図１】本発明の実施形態に係る閃光放電管保持部材を示す正面図
【図２】本発明の実施形態に係る閃光放電管保持部材の製造に用いられる成形型を示す正面図
【図３】本発明の実施形態に係る閃光放電管保持部材を備えるストロボ装置において、閃光放電管と反射傘と閃光放電管保持部材とを組み立てた状態を示す正面図
【図４】本発明の実施形態に係る閃光放電管保持部材を備えるストロボ装置において、閃光放電管と反射傘と閃光放電管保持部材とを組み立てた状態を示す斜視図
【図５】従来の閃光放電管保持部材を示す正面図
【図６】従来の閃光放電管保持部材の製造に用いられる成形型を示す正面図
【図７】従来の閃光放電管保持部材を備えるストロボ装置において、閃光放電管と反射傘と閃光放電管保持部材とを組み立てた状態を示す正面図
【符号の説明】
【００３７】
１  反射傘
２  閃光放電管
３  閃光放電管保持部材
４  挿通孔
５  掛止部
６  連結部
７  成形型
８  第一型
９  第二型
１０  注入口
１１  キャビティ
１２  電極
１３  角部
１４  平坦面
１５  傾斜面
１６  隅部
【図１】
0004839929.tif 000002
【図２】
0004839929.tif 000003
【図３】
0004839929.tif 000004
【図４】
0004839929.tif 000005
【図５】
0004839929.tif 000006
【図６】
0004839929.tif 000007
【図７】
0004839929.tif 000008